(57)【要約】      （修正有）【課題】マッサージ力量を制御して機械式のマッサージの力量を制御し易い空気注入式マッサージ装置を提供する。【解決手段】空気注入式マッサージ装置１内に空気注入袋を備え、空気注入袋に気体を注入された後は変形を引き起して弾性素子を圧迫すると共に、マッサージ部を上方に押し進み、キャップの外部に露出するマッサージ部を上方に移動させる。この構成により、空気注入袋に注入された気体の量によって、マッサージ力量を制御することができる。【選択図】図１
0003177311.tif 000002
【実用新案登録請求の範囲】
【請求項１】
マッサージ製品２に内設する空気注入式マッサージ装置１であって、
収容空間１１１と、エアチューブ入口１１２と、開口部１１３と、を有するハウジングと、
前記収容空間１１１に内設していて、かつ前記マッサージ製品２のエアチューブ２１は前記エアチューブ入口１１２を通して気密に連絡することができ、前記エアチューブ２１は気体を流すことができる空気注入袋１２と、
前記空気注入袋１２の上方に設けられ、少なくとも一つのマッサージ部１３１を有するマッサージ具１３と、
少なくとも一つのマッサージ部の開口部１４１を設けられ、ハウジング１１の前記開口部１１３を蓋閉めでき、前記開口部１１３を蓋閉めされたとき、前記マッサージ具１３のマッサージ部１３１は前記マッサージ部の開口部１４１を通り越して、外部に露出するキャップ１４と、
前記マッサージ具１３と前記キャップ１４との間に設けられ、前記空気注入袋１２に気体を充填されていないとき、前記マッサージ具１３を下方に押し込み、前記マッサージ部１３１が前記キャップ１４の外部に露出する部分が最少となる弾性素子１５と、
ポンプ１６１とコントローラー１６２と、を有し、前記ポンプ１６１は前記エアチューブ２１に接続していて、気体を前記エアチューブ２１に注入し、前記ポンプ１６１と電気接続され、前記ポンプ１６１の流量を制御する気体制御装置と、を備え、
前記空気注入袋１２に気体を充填したときに、空気注入袋１２が変形して、前記弾性素子１５を圧迫すると共に、前記マッサージ具１３を上方に押し込み、前記キャップ１４の外部に露出する前記マッサージ部１３１を上方に移動させることを特徴とする、空気注入式マッサージ装置。
【請求項２】
前記空気注入袋１２は円柱体を形成し、空気注入袋１２の上面は少なくとも一つの円形溝１２１と膨張部１２２と、を形成され、前記空気注入袋１２に気体を充填して変形したとき、膨張部１２２が膨張して、マッサージ具１３を押し進めることを特徴とする、請求項１記載の空気注入式マッサージ装置。
【請求項３】
前記空気注入袋１２は円柱体を形成し、空気注入袋１２の下面は少なくとも一つの円形溝１２１と膨張部１２２と、を形成され、前記空気注入袋１２に気体を充填して変形したとき、膨張部１２２が膨張して収容空間１１１を押し進み、前記空気注入袋１２全体が上方に引き上げられることを特徴とする、請求項１記載の空気注入式マッサージ装置。
【請求項４】
前記マッサージ具１３はさらにベース１３２を含み、前記マッサージ部１３１は前記ベース１３２と一体成形することを特徴とする、請求項１記載の空気注入式マッサージ装置。
【請求項５】
前記キャップ１４はねじによって、開口部１１３に締め付けることを特徴とする、請求項１記載の空気注入式マッサージ装置。
【請求項６】
前記弾性素子１５は前記マッサージ部１３１に移譲して縮設され、その一側はキャップ１４に当接するとともに、他側がベース１３２に当接することを特徴とする、請求項４記載の空気注入式マッサージ装置。
【考案の詳細な説明】
【技術分野】
【０００１】
本考案は特に空気注入袋を備え、かつ空気注入袋の空気注入量によって、マッサージの力量を制御する空気注入式マッサージ装置に関する。
【背景技術】
【０００２】
マッサージは物理学と生物学とを結合した原理を利用し、ゆるやか、軽く、かつ柔らかい力量を体に加えて舒経活絡、血を巡らせて痛み止めなどの効果があると言われている。
マッサージ力量の加減は非常に重要であり、軽すぎでは効果が現れず、重すぎると逆に怪我する恐れがある。
有効なマッサージ効果を図るため、従来のマッサージ装置はマッサージ力量の重過ぎ、または軽過ぎがないように、機械構造が精密に設計されている。
【０００３】
中華民国特許第Ｍ４２７１５０号（実施例１）においては、駆動モータの駆動によってギヤセットを回転させ、ギヤセットが連動素子を押し進める。引き続き、連動素子がマッサージ具を駆動して、マッサージまたは上下叩きの動作をする。
そのうち、連動素子の押し進め具は、駆動素子の回転方向にしたがって、駆動軸とマッサージ具を駆動して様々な動作を引き起こす。
さらに、上下叩きの動作は駆動素子の斜歯車装置と受動具の斜め凹部の組合せによって実現される。
【先行技術文献】
【特許文献】
【０００４】
【特許文献１】中華民国特許第Ｍ４２７１５０号
【考案の概要】
【考案が解決しようとする課題】
【０００５】
しかしながら、従来のマッサージ装置は以下の欠点が存在する。
【０００６】
＜イ＞機械構造がコスト高である。マッサージ力量を制御するため、従来のマッサージ装置が精密に設計されているため、機械構造がコスト高である。
【０００７】
＜ロ＞機械のマッサージの力量加減をコントロールすることが困難である。機械構造は人力のような柔らかさを実現することはできない。過少の力量は効果が現れない。しかし、力量を一段に強く調節すると、その力量が強すぎて快適感を失われる。このように、機械のマッサージ力量のコントロールが難しい。
【課題を解決するための手段】
【０００８】
本考案は上記した従来のマッサージ装置が内包する問題点を解決するためになされたもので、考案者が研究開発を努めた結果、本考案の空気注入式マッサージ装置を考案した。
【０００９】
本考案の主な目的は、空気注入袋を備え、空気注入袋に気体を充填された後は変形を引き起して、弾性素子を圧迫すると共にマッサージ部を上方に押し進み、キャップの外部に露出するマッサージ部を上方に移動させる。そのうち、本考案は空気注入袋などの素子でマッサージ装置を制御でき、高価な機械式構造を購入必要がない、空気注入式マッサージ装置を提供することにある。
【００１０】
本考案もう一つの目的は、空気注入袋を備え、空気注入袋に気体を充填された後は変形を引き起して、弾性素子を圧迫し、マッサージ具を上方に押し進み、キャップの外部に露出するマッサージ部を上方に移動させる。そのうち、本考案は空気注入袋に充填する気体の量によって、マッサージ装置を制御でき、機械式のマッサージ力量が制御しにくい問題を解消することにある。
【００１１】
本考案の目的を達成するため、本考案に係るマッサージ製品に内設可能な空気注入式マッサージ装置は、収容空間と、エアチューブ入口と、開口部と、を有するハウジングと、収容空間に内設していて、かつマッサージ製品のエアチューブは、エアチューブ入口を通して、空気注入袋と気密に連絡され、エアチューブに気体を流すことができる空気注入袋と、空気注入袋の上方に設けられ、少なくとも一つのマッサージ部を有するマッサージ具と、少なくとも一つのマッサージ部の開口部を設けていて、かつハウジングの開口部を蓋閉めすることができ、開口部を蓋閉めされたとき、マッサージ装置のマッサージ部はマッサージ部の開口部を通り越して、キャップの外部に露出するキャップと、マッサージ具とキャップとの間に設けられ、空気注入袋に気体を注入されていないときは、マッサージ具を下方に押し込み、マッサージ部がキャップからの露出量が最少となる弾性素子と、ポンプと、コントローラーと、を有し、ポンプはエアチューブに連絡していて、かつ気体をエアチューブに注入することができる。コントローラーはポンプと電気接続され、ポンプの流量を制御する気体制御装置と、を備える。
【００１２】
そのうち、空気注入袋に気体を充填されたとき、変形を引き起して、弾性素子を圧迫すると共にマッサージ部を上方に押し込み、キャップの外部に露出するマッサージ部を上方に移動させる。
【考案の効果】
【００１３】
本考案に係る空気注入式マッサージ装置は従来のマッサージ装置と比べて、以下の長所を有することが分かる。
【００１４】
<イ>高価な機械式構造を必要ない。本考案は空気注入袋を設けることにより、空気注入袋に気体を充填されたとき、変形を引き起して、弾性素子を圧迫すると共に、マッサージ具を上方に押し込み、キャップ外部に露出するマッサージ部は上方に引き上げられる。さらに、本考案は空気注入袋などの素子でマッサージ具を制御できるため、高価な機械式構造を購入必要はない。
【００１５】
<ロ>マッサージ力量の加減の制御が簡単である。第１点に続く、本考案に係る空気注入袋は空気を注入されたとき、変形を引き起して、弾性素子を圧迫すると共にマッサージ具を上方に押し込み、キャップの外部に露出するマッサージ部は上方に引き上げられる。よって、本考案は空気注入袋に充填された気体の量にしたがって、マッサージ力量を制御できるほか、空気注入袋は人間がマッサージするようなマッサージ効果を達成でき、機械式構造のように力量制御しにくい問題を防止できる。
【図面の簡単な説明】
【００１６】
【図１】本考案の空気注入式マッサージ装置を適用されたマッサージ製品の分解図である。
【図２】本考案に係る空気注入式マッサージ装置の分解図である。
【図３】本考案に係る空気注入袋の膨張態様図である。
【図４】本考案の空気注入式マッサージ装置を適用されたマッサージ製品の仰観図である。
【図５】本考案の空気注入式マッサージ装置を適用されたマッサージ製品の立体図である。
【考案を実施するための形態】
【００１７】
以下に図面を参照しながら、本考案の空気注入式マッサージ装置についてより詳しく説明する。
【実施例】
【００１８】
図１乃至４は、本考案の空気注入式マッサージ装置を適用されたマッサージ製品の分解図、本考案に係る空気注入袋の膨張態様図及び本考案の空気注入式マッサージ装置を適用されたマッサージ製品の仰観図である。
本考案の空気注入式マッサージ装置１はマッサージ製品２に内設することができる。
空気注入式マッサージ装置１はハウジング１１と、空気注入袋１２と、マッサージ具１３と、キャップ１４と、弾性素子１５と、ポンプ１６１の流量を制御する気体制御装置と、を備える。
ハウジング１１は収容空間１１１と、エアチューブ入口１１２と、開口部１１３とを有していて、収容空間１１１に内設している。
ハウジング１１は開口部１１３を有していて、蓋で閉めることができる。
マッサージ製品２のエアチューブ２１はハウジング１１のエアチューブ入口１１２を挿通して、空気注入袋１２と気密性を保持して連絡することができる。
空気注入袋１２はエアチューブ２１を通じて気体を注入できる。
マッサージ具１３は、空気注入袋１２の上方に設けていて、かつ少なくとも一つのマッサージ部１３１を有する。
キャップ１４は、少なくとも一つのマッサージ部開口部１４１を有する。ハウジング１１の開口部１１３を蓋で閉めることができる。開口部１１３を蓋閉めたとき、マッサージ具１３のマッサージ部１３１はマッサージ部の開口部１４１を挿通して、キャップ１４の外部に露出する。
弾性素子１５は、マッサージ具１３とキャップ１４との間に設けられ、空気注入袋１２に気体が充填されていないとき、マッサージ具１３を下方に押し込み、マッサージ部１３１がキャップ１４の外部に露出する部分が最少となる。
ポンプ１６１の流量を制御する気体制御装置は、ポンプ１６１と、コントローラー１６２と、を有する。
ポンプ１６１はエアチューブ２１に接続していて、気体をエアチューブ２１に注入できる。
コントローラー１６２はポンプ１６１と電気接続されて、ポンプ１６１の流量を制御する。
そのうち、空気注入袋１２に気体を充填すると、空気注入袋１２が変形する。
空気注入袋１２が弾性素子１５を圧迫することによって、マッサージ具１３が上方に移動して、キャップ１４の外部に露出するマッサージ部１３１が上方に引き上げられる。
【００１９】
引き続き、図２と図３を参照して説明する。
空気注入袋１２は円柱体を形成し、空気注入袋１２の上面は少なくとも一つの円形溝１２１と、膨張部１２２と、を形成する。空気注入袋１２に気体を注入して変形したとき、膨張部１２２が膨張して、マッサージ具１３を押す。
同じく、空気注入袋１２の底面も少なくとも一つの円形溝１２１と、膨張部１２２と、を形成している。空気注入袋１２に空気を注入したとき、膨張部１２２が膨張して、収容空間１１１を圧迫し空気注入袋１２全体が上方に引き上げられる。
【００２０】
続いて、マッサージ具１３はさらにベース１３２を設けていて、かつマッサージ部１３１はベース１３２と一体成形されている。
本考案に係るベース１３２は円盤状を形成するが、ベース１３２の形状はハウジング１１に備える収容空間１１１の形状により調整できる。
このほか、ベース１３２の一表面は弾性素子１５の弾性を受けると共に、他の表面は空気注入袋１２の作用力を受ける。
空気注入袋１２に気体を充填されたとき、変形を引き起して、ベース１３２を利用し弾性素子１５を圧迫すると共に、マッサージ具１３を上方に移動させ、キャップ１４外部に露出するマッサージ部１３１が上方に引き上げられる。
これに対して、空気注入袋１２に空気が充填されていないときは、弾性素子１５がベース１３２によって、マッサージ具１３を下方に押し込み、マッサージ部１３１がキャップ１４の外部に露出する部分が最少となる。
前述した機能を達成するため、本考案において、弾性素子１５はマッサージ部１３１に囲繞して縮設してある。弾性素子１５の一側はキャップ１４にあてがい、他の一側はベース１３２にあてがう。
さらに、キャップ１４はねじにより開口部１１３に締め付けられている。
【００２１】
図１と図４を参照して、本考案に係る空気注入式マッサージ装置をマッサージ製品２に適用した実施例を説明する。
本考案に係る２つの空気注入式マッサージ装置１を接続板によって接続し、かつスクリュー装置２２のスクリュー２２１は接続板に取り付ける。
これにより、駆動装置２２２によって、本考案に係る空気注入式マッサージ装置１をスクリュー２２１に沿って移動することができる。
【００２２】
引き続き、本考案に係る空気注入式マッサージ装置を適用したマッサージ製品の立体図である図５を参照して説明すると、体の大腿部を大腿部置き位置２３に置くと、マッサージ部１３１が軟性パッドを介して、または直接に大腿部に接触してマッサージを行う。
【符号の説明】
【００２３】
１        空気注入式マッサージ装置
１１      ハウジング
１１１    収容空間
１１２    エアチューブ入口
１１３    開口部
１２      空気注入袋
１２１    円形溝
１２２    膨張部
１３      マッサージ具
１３１    マッサージ部
１３２    ベース
１４      キャップ
１４１    マッサージ部の開口部
１５      弾性素子
１６１    ポンプ
１６２    コントローラー
２        マッサージ製品
２１      エアチューブ
２２      スクリュー装置
２２１    スクリュー
２２２    駆動装置
【図１】
0003177311.tif 000003
【図２】
0003177311.tif 000004
【図３】
0003177311.tif 000005
【図４】
0003177311.tif 000006
【図５】
0003177311.tif 000007